(57)【要約】【課題】  ネジのネジ止め深さを増加させて、フレームと繋ぎ片とを強固に連結して安定性と安全性を改善すること。【解決手段】  収容穴３１を有するフレーム３０と、断面形状がＴ形に成型された繋ぎベース４０と、止めネジ５０とよりなり、フレーム３０の収容穴３１内の少なくとも一側に嵌合突部３２を形成すると共に、フレームネジ穴３２１を形成し、繋ぎベース４０の一側には前記フレーム３０の嵌合突３２部と対向する位置に嵌合溝４１を形成していると共に、前記フレームネジ穴３２１に対応する位置に止め穴４１１を形成し、フレーム３０のフレームネジ穴３２１と繋ぎベース４０の止め穴４１１と一緒に止めネジ５０でネジ止めして構成する。【選択図】  図３
0003103845.tif 000002
【実用新案登録請求の範囲】
【請求項１】
フレームの隅角止め構造であって、
収容穴を有するフレームと、
断面形状がＴ形に成型された繋ぎベースと、
前記フレームと繋ぎベースをネジ止めする止めネジとよりなり、
前記フレームの収容穴内の少なくとも一側に嵌合突部を形成すると共に、フレームネジ穴を形成し、
繋ぎベースの一側には前記フレームの嵌合突部と対向する位置に嵌合溝を形成していると共に、前記フレームネジ穴に対応する位置に止め穴を形成し、
フレーム上のフレームネジ穴と繋ぎベースの止め穴と一緒に止めネジでネジ止めしたことを特徴とする、
フレームの隅角止め構造。
【考案の詳細な説明】
【技術分野】
【０００１】
本考案はフレームの隅角止め構造に関するものである。
【背景技術】
【０００２】
広く各フレームへ応用されている従来の隅角の止め構造としては、図１に示す隅角止め構造が知られている。これは主にフレーム（１０）と繋ぎベース（１１）とからなっていて、フレーム（１０）の内部に貫通溝（１０１）がある。貫通溝（１０１）内には少なくとも一側に条状の歯部（１０２）が形成されている。繋ぎベース（１１）は一つのクランクアームがあるプラスチックベースであって、少なくとも一側に数個の凸条（１１１）を設けた構造である。さらに繋ぎベース（１１）の凸条（１１１）とフレーム（１０）の貫通溝（１０１）内の歯部（１０２）は交差する方向に形成してあって、両部材を嵌合させたときに互いに止めあって脱落を防止できる構造になっている。
【０００３】
また従来の他の隅角の止め構造としては、図２に示すような隅角止め構造が知られている。
この隅角止め構造は、フレーム（２０）と繋ぎベース（２１）とを互いにねじ止めする事によって成り立っている。フレーム（２０）の内部には貫通溝（２０１）がある。貫通溝（２０１）の内側の各面は平滑の平面であり、そのフレーム（２０）の一側面に一つの開口穴（２０２）が開設されている。繋ぎベース（２１）は一つのＬ型凹面を有する繋ぎベース体であり、それがフレーム（２０）と互いに結合し合って、その繋ぎベース（２１）がそのフレーム（２０）の開口穴（２０２）に相対する位置にも止め穴（２１１）が形成されている。両部材を嵌合させてねじでとめてフレーム（２０）と繋ぎベース（２１）とを一体化できる構造になっている。
【考案の開示】
【考案が解決しようとする課題】
【０００４】
しかしながら前記した図１に示す隅角止め構造にあっては、繋ぎベース（１１）がプラスチック材質で断裂し易いことから寿命が長くない。またその構造の間にネジがないので、フレーム（１０）と繋ぎベース（１１）とを緊密に結合できないので安全性の面で問題がある。
【０００５】
また前記した図２に示す隅角止め構造にあっては、Ｌ型凹面の底部とフレーム（２０）と対向する側面が完全に緊密(隙間が全くない)するので脱落し易く、安定性及び安全性の面で不足がある。
【０００６】
本考案は以上の点に鑑みてなされたもので、その目的とするところは、断裂し難く、安定性及び安全性を改善できる、フレームの隅角止め構造を提供することにある。
【課題を解決するための手段】
【０００７】
本考案はフレームの隅角止め構造であって、収容穴を有するフレームと、
断面形状がＴ形に成型された繋ぎベースと、前記フレームと繋ぎベースをネジ止めする止めネジとよりなり、前記フレームの収容穴内の少なくとも一側に嵌合突部を形成すると共に、フレームネジ穴を形成し、繋ぎベースの一側には前記フレームの嵌合突部と対向する位置に嵌合溝を形成していると共に、前記フレームネジ穴に対応する位置に止め穴を形成し、フレーム上のフレームネジ穴と繋ぎベースの止め穴と一緒に止めネジでネジ止めしたことを特徴とするものである。
【考案の効果】
【０００８】
本考案は、フレームの隅角結構構造を改良したもので、一つの溝を持つ繋ぎベースとフレームとを合わせた時にできるネジ止めの隙間を利用することで、フレームと繋ぎ片とを緊密に結合できて、安定性と安全性を向上させることができる。
【考案を実施するための最良の形態】
【０００９】
以下に図面を参照しながら本考案の実施の形態について説明する。
【００１０】
先ず、図３から図５を参考して説明する。
本考案に係るフレームの隅角止め構造は、主に一つのフレーム（３０）と、一つの繋ぎベース（４０）と一つの止めネジ（５０）などで構成される。
フレーム（３０）には一つの収容穴（３１）がある。その収容穴（３１）内には少なくとも一側に予定数の嵌合突部（３２）が隆起して形成されている。
また、その嵌合突部（３２）上に一つのフレームネジ穴（３２１）がある。
繋ぎベース（４０）は、その断面形状がＴ形に成型され、平面形状がＬ形をしていて、その側面には予定数の嵌合溝（４１）が成型されている。その嵌合溝（４１）はそのフレーム（３０）の嵌合突部（３２）内に対応する位置に形成してあって、フレーム（３０）と繋ぎベース（４０）とを互いに嵌り合うようになっている。
そして嵌合溝（４１）には、フレーム（３０）の嵌合突部（３２）に対応する位置に止め穴（４１１）が設けられている。
止めネジ（５０）はフレーム（３０）のフレームネジ穴（３２１）と繋ぎベース（４０）の止め穴（４１１）に螺合してねじ止めする。図５に示すようにその繋ぎベース（４０）の嵌合溝（４１）によってフレームネジ穴（３２１）と止め穴（４１１）との間にネジ止め用の隙間を発生する。
【００１１】
再び図３から図５を参考して本考案をさらに詳しく説明する。
本考案はフレーム（３０）の一側に成型する嵌合突部（３２）と繋ぎベース（４０）の側面に成型する嵌合溝（４１）とを互いに結合することによって、繋ぎベース(４０)の嵌合溝（４１）がフレーム（３０）のフレームネジ穴（３２１）と繋ぎベース（４０）の止め穴（４１１）の相対距離(ネジ止める時の深度)を増加した。このネジ止め隙間はフレーム（３０）と繋ぎベース（４０）とを緊密に結合できることの他に、その止め強度を増大させることができる。
【図面の簡単な説明】
【００１２】
【図１】従来のフレームの隅角止め構造の立体分解図である。
【図２】従来の他の隅角の止め構造の立体分解図である。
【図３】本考案のフレームの隅角止め構造の立体分解図である。
【図４】本考案におけるもう一面の立体分解図である。
【図５】本考案の隅角止め構造の断面図である。
【符号の説明】
【００１３】
１０・・・・フレーム
１０１・・・貫通溝
１０２・・・歯部
１１・・・・繋ぎベース
１１１・・・凸条
２０・・・・フレーム
２０１・・・貫通溝
２０２・・・開口穴
２１・・・・繋ぎベース
２１１・・・止め穴
３０・・・・フレーム
３１・・・・貫開口穴
３２・・・・嵌合突部
３２１・・・フレームネジ穴
４０・・・・繋ぎベース
４１・・・・嵌合溝
４１１・・・止め穴
５０・・・・止めネジ
【図１】
0003103845.tif 000003
【図２】
0003103845.tif 000004
【図３】
0003103845.tif 000005
【図４】
0003103845.tif 000006
【図５】
0003103845.tif 000007